(57)【特許請求の範囲】
【請求項１】
前面に前方開口を有したポスト本体と、前記前方開口を開閉するように前記ポスト本体に支持させた前扉とを備えたポストであって、
前記ポスト本体は、前記前方開口の上縁となる部位に前方に向けて突出した上縁壁部を有し、
前記前扉は、前記上縁壁部の上方に位置する部位に前記上縁壁部に対向するように延在した上部カバー壁部を有するとともに、前記上部カバー壁部の後縁部から下方に向けて突出した垂下壁部を有したものであり、
前記上縁壁部の上面において前記垂下壁部よりも前方に位置する部位に、上方に突出するとともに、前記前方開口の幅方向に延在する複数の止水壁を前後に並設したことを特徴とするポスト。
【請求項２】
前記止水壁は、前記上縁壁部において前記垂下壁部に近接する部位に設けた第１の止水壁と、前記上縁壁部において前記第１の止水壁よりも前方となる部位に設けた第２の止水壁とを有したものであり、前記第１の止水壁と前記ポスト本体の前端部分との間に端部が開放した第１の樋部を構成するとともに、前記第１の止水壁と前記第２の止水壁との間に端部が開放した第２の樋部を構成したことを特徴とする請求項１に記載のポスト。
【請求項３】
前記第１の樋部及び前記第２の樋部の内底面は、それぞれ開放した端部に向けて漸次低くなるように傾斜したことを特徴とする請求項２に記載のポスト。
【請求項４】
前記ポスト本体は、上方に開口する上方開口を有するとともに、前記上方開口を開閉するための上蓋を備えたものであり、
前記上蓋は、前端から垂下する前壁部を有し、前記前壁部が前記垂下壁部に対向するように前記ポスト本体に支持させたものであり、
前記前壁部の下縁部に前方に向けて突出する突起を設けたことを特徴とする請求項１に記載のポスト。
【請求項５】
前記ポスト本体において前記前壁部の下端に対向する部位に、前方に向けて漸次下方となるように傾斜する傾斜部を設けたことを特徴とする請求項４に記載のポスト。
【発明の詳細な説明】
【技術分野】
【０００１】
本発明は、ポスト本体の前面に前方開口を有したポストに関するものである。
【背景技術】
【０００２】
ポスト本体の前面に取り出し用の開口を有したポストには、前扉によって取り出し用開口を閉じた際に前扉がポスト本体の前面全域を覆うように構成したものがある。この種のポストでは、前扉が上下に連続するため、外観品質上好ましいものとなる。しかしながら、前扉とポスト本体との境界が上方に開口する隙間となって現れることになり、ポスト本体の内部に対する止水性を十分に考慮する必要がある。
【０００３】
例えば、特許文献１に記載のものでは、ポスト本体において取り出し用開口の上縁となる部分から前方に向けて上縁壁部が設けられているとともに、上縁壁部の前縁部に止水壁が設けられている。また、前扉の上縁部には、止水壁を越えて上縁壁部に対向するように上部カバー壁部が設けられている。こうしたポストによれば、ポスト本体と前扉と隙間がクランク状となるため、上方から雨水等の水が滴下した場合にも、ポスト本体の内部に直接浸入するおそれがなくなる。
【先行技術文献】
【特許文献】
【０００４】
【特許文献１】特開２０１３−２１２１９４号公報
【発明の概要】
【発明が解決しようとする課題】
【０００５】
しかしながら、上述のポストにあっても、前扉の上部カバー壁部に付着した水が上部カバー壁部の裏面を伝って浸入し、前扉とポスト本体の上縁壁部との隙間からポスト本体の内部に滴下して投函物を汚損するおそれがある。また、豪雨等のように降雨量が増大した場合には、上縁壁部の水が止水壁を超えた時点で直ちにポスト本体の内部に水が浸入するおそれがある。
【０００６】
本発明は、上記実情に鑑みて、止水性を損なうことなく、外観品質の向上を図ることのできるポストを提供することを目的とする。
【課題を解決するための手段】
【０００７】
上記目的を達成するため、本発明に係るポストは、前面に前方開口を有したポスト本体と、前記前方開口を開閉するように前記ポスト本体に支持させた前扉とを備えたポストであって、前記ポスト本体は、前記前方開口の上縁となる部位に前方に向けて突出した上縁壁部を有し、前記前扉は、前記上縁壁部の上方に位置する部位に前記上縁壁部に対向するように延在した上部カバー壁部を有するとともに、前記上部カバー壁部の後縁部から下方に向けて突出した垂下壁部を有したものであり、前記上縁壁部の上面において前記垂下壁部よりも前方に位置する部位に、上方に突出するとともに、前記前方開口の幅方向に延在する複数の止水壁を前後に並設したことを特徴とする。
【０００８】
この発明によれば、上部カバー壁部の後縁部に垂下壁部を設けるようにしているため、上部カバー壁部に付着した水が上部カバー壁部を伝って浸入するおそれがなくなる。しかも、上縁壁部の上面において垂下壁部よりも前方に位置する部位に止水壁を複数並設しているため、降雨量が増えて上縁壁部の水が止水壁を超えたとしても、次の止水壁によって浸入が妨げられることになる。これらの結果、前扉によってポスト本体の前面全域を覆うように構成して外観品質を向上させた場合にも、ポスト本体の内部への止水性を十分に確保することができるようになる。
【０００９】
また本発明は、上述したポストにおいて、前記止水壁は、前記上縁壁部において前記垂下壁部に近接する部位に設けた第１の止水壁と、前記上縁壁部において前記第１の止水壁よりも前方となる部位に設けた第２の止水壁とを有したものであり、前記第１の止水壁と前記ポスト本体の前端部分との間に端部が開放した第１の樋部を構成するとともに、前記第１の止水壁と前記第２の止水壁との間に端部が開放した第２の樋部を構成したことを特徴とする。
【００１０】
この発明によれば、第１の樋部の水が端部から排出され、第２の樋部の水が端部から排出されることになる。
【００１１】
また本発明は、上述したポストにおいて、前記第１の樋部及び前記第２の樋部の内底面は、それぞれ開放した端部に向けて漸次低くなるように傾斜したことを特徴とする。
【００１２】
この発明によれば、第１の樋部の水及び第２の樋部の水は傾斜作用によって端部から順次排出されるため、上縁壁部の上面に停滞している時間が短くなり、ポスト本体の内部に浸入するリスクも減少する。
【００１３】
また本発明は、上述したポストにおいて、前記ポスト本体は、上方に開口する上方開口を有するとともに、前記上方開口を開閉するための上蓋を備えたものであり、前記上蓋は、前端から垂下する前壁部を有し、前記前壁部が前記垂下壁部に対向するように前記ポスト本体に支持させたものであり、前記前壁部の下縁部に前方に向けて突出する突起を設けたことを特徴とする。
【００１４】
この発明によれば、前壁部を伝った水が突起によって前方に案内され、前壁部の下端とポスト本体との隙間に水が浸入する事態を防止することができる。
【００１５】
また本発明は、上述したポストにおいて、前記ポスト本体において前記前壁部の下端に対向する部位に、前方に向けて漸次下方となるように傾斜する傾斜部を設けたことを特徴とする。
【００１６】
この発明によれば、前壁部の下端とポスト本体との隙間に水が滞留する事態を防止することができる。
【発明の効果】
【００１７】
本発明によれば、上部カバー壁部の後縁部に垂下壁部を設けるようにしているため、上部カバー壁部に付着した水が上部カバー壁部を伝って浸入するおそれがなくなる。しかも、上縁壁部の上面において垂下壁部よりも前方に位置する部位に止水壁を複数並設しているため、降雨量が増えて上縁壁部の水が止水壁を超えたとしても、次の止水壁によって浸入が妨げられることになる。これらの結果、前扉によってポスト本体の前面全域を覆うように構成して外観品質を向上させた場合にも、ポスト本体の内部への止水性を十分に確保することができるようになる。
【図面の簡単な説明】
【００１８】
【図１】図１は、本発明の実施の形態であるポストの斜視図である。
【図２】図２は、図１に示したポストを側方から見たもので、（ａ）は上蓋を閉じた状態の側面図、（ｂ）は上蓋を開けた状態の側面図である。
【図３】図３は、図１に示したポストを上方から見たもので、（ａ）は前扉を閉じた状態の平面図、（ｂ）は前扉を開けた状態の平面図である。
【図４】図４は、図１に示したポストの図２の（ａ）におけるＸ−Ｘ線要部拡大断面図である。
【図５】図５は、図１に示したポストにおいて軸受部の相互間を切断した要部拡大縦断面図である。
【図６】図６は、図５において上蓋を開けた状態の要部拡大縦断面図である。
【図７】図７は、図１に示したポストにおいて軸受部を切断した要部拡大縦断面図である。
【図８】図８は、図７において上蓋を開けた状態の要部拡大縦断面図である。
【発明を実施するための形態】
【００１９】
以下、添付図面を参照しながら本発明に係るポストの好適な実施の形態について詳細に説明する。
図１〜図３は、本発明の実施の形態であるポストを示したものである。ここで例示するポストは、屋外に設置されることを前提としたもので、直方体状を成すポスト本体１０の前面に取出口（前方開口）１１を有し、かつポスト本体１０の上方部に上方に開口する投函口（上方開口）１２を有している。
【００２０】
取出口１１は、ポスト本体１０の前面ほぼ全域に開口する大きさを有したものである。ポスト本体１０において取出口１１の開口周縁となる部分には、上縁壁部１３ａ、下縁壁部１３ｂ及び左右の側縁壁部１３ｃが設けてある。上縁壁部１３ａ、下縁壁部１３ｂ及び左右の側縁壁部１３ｃは、それぞれ薄板状を成すもので、取出口１１の開口周縁部に矩形状の前方周壁１３を構成している。図中の符号１４は、上縁壁部１３ａの前端及び左右の側縁壁部１３ｃの前端に配設したクッション材である。
【００２１】
図５及び図７に示すように、このポスト本体１０では、ポスト本体１０の上面を構成する上壁部１０ａと上縁壁部１３ａとの間に上下方向に延在する前端壁部１０ｂが設けてあり、上縁壁部１３ａがポスト本体１０よりも一段低くなるように構成してある。上壁部１０ａと前端壁部１０ｂとの間には、前方に向けて漸次下方に傾斜する傾斜部１０ｃが設けてある。
【００２２】
図１、図５及び図７に示すように、上縁壁部１３ａの上面には、２つの止水壁１５，１６が前後に並んで配設してある。止水壁１５，１６は、それぞれ上縁壁部１３ａから上方に向けて突出した薄板状部材であり、上縁壁部１３ａの幅方向に沿った全長にわたる部位に設けてある。図からも明らかなように、個々の止水壁１５，１６は、ポスト本体１０の上面１０ｄよりも上方に突出しており、ポスト本体１０の前端壁部１０ｂとの間に第１の樋部１７を構成し、かつ互いの間に第２の樋部１８を構成している。図４に示すように、それぞれの樋部１７，１８の内底面１７ａ，１８ａは、中央部分が最も高い位置となり、両側の開放端に向けて漸次低くなるように傾斜している。なお、２つの止水壁１５，１６を区別する場合には、上縁壁部１３ａの後方側に設けたものを第１の止水壁１５と称し、前方側に設けたものを第２の止水壁１６と称することとする。
【００２３】
投函口１２は、図５及び図７に示すように、ポスト本体１０の上面１０ｄに設けた台状部１９の上端に開口するように形成したものである。台状部１９は、左右寸法及び前後寸法がそれぞれポスト本体１０の横断面よりも小さくなるように構成したもので、周囲にそれぞれポスト本体１０の上面１０ｄを確保した状態でポスト本体１０の上面１０ｄから上方に突出するように設けてある。台状部１９の後面１９ａからポスト本体１０の後端縁１０ｅまでの寸法は、台状部１９の前面１９ｂからポスト本体１０の前端縁までの寸法及び台状部１９の側面１９ｃからポスト本体１０の側端縁までの寸法よりも大きく設定してある。
【００２４】
図１、図５及び図７に示すように、台状部１９には、両側となる部位にそれぞれ支持台部１９ｄが設けてあり、かつこれら支持台部１９ｄの相互間となる部位に前方傾斜面１９ｅ及び後方傾斜面１９ｆが設けてある。支持台部１９ｄは、厚板の平板状を成すもので、台状部１９の両側部分から互いに平行となる状態で上方に突出している。支持台部１９ｄの上面は、ポスト本体１０の上面１０ｄとほぼ平行となるように延在している。支持台部１９ｄの上面において前方側に位置する部分には、それぞれクッション材２０が配設してある。前方傾斜面１９ｅは、前方に向けて漸次下方となるように傾斜したものであり、後方傾斜面１９ｆは、後方に向けて漸次下方となるように傾斜したものである。本実施の形態では、台状部１９の後方側に大きく偏った部分において左右方向に延在する稜線１９ｇを境界として前方傾斜面１９ｅと後方傾斜面１９ｆとが隣接するように構成してある。上述した投函口１２は、前方傾斜面１９ｅにおいて上方に開口するように形成してある。前方傾斜面１９ｅと後方傾斜面１９ｆとの隣接境界となる稜線１９ｇの高さは、支持台部１９ｄの上面よりも低い位置となるように設定してある。図からも明らかなように、投函口１２の周囲全周となる部分には、上方に向けて突出するように開口周壁部１２ａが設けてある。
【００２５】
ポスト本体１０の上面１０ｄにおいて台状部１９の後面１９ａからポスト本体１０の後端縁１０ｅまでの間に位置する部位には、２つの軸受部２１が設けてある。軸受部２１は、図１及び図７に示すように、それぞれポスト本体１０の上面１０ｄから上方に突出した部分であり、個々の上端部に軸挿通孔２１ａを有している。軸挿通孔２１ａは、ポスト本体１０の左右方向に沿って貫通したもので、互いに同一の軸芯となる位置にほぼ水平となるように設けてある。図からも明らかなように、軸受部２１の上端部は、軸挿通孔２１ａの軸芯を中心とした円柱状の曲面となるように形成してあり、その頂部に止水リブ２２を有している。止水リブ２２は、幅の細い突条であり、軸挿通孔２１ａの軸芯を通過する仮想の鉛直面に沿って延在している。
【００２６】
上述のポスト本体１０には、前扉３０及び上蓋４０が設けてある。前扉３０はポスト本体１０の取出口１１を開閉するためのものであり、上蓋４０はポスト本体１０の投函口１２を開閉するためのものである。
【００２７】
前扉３０は、図１に示すように、ポスト本体１０の前面において前方周壁１３及び止水壁１５，１６を覆うことのできる大きさを有した矩形状を成す前扉本体３１と、前扉本体３１の四周からそれぞれ同一方向に屈曲した上部カバー壁部３２、下部カバー壁部３３及び左右の側部カバー壁部３４とを有したものである。この前扉３０は、ポスト本体１０の一方の側縁壁部１３ｃとの間に設けたヒンジ３５により、上下方向に沿った軸芯を中心として回転可能に配設してある。本実施の形態では、正面から見た場合に右側となる部分にヒンジ３５が設けてあり、図３に示すように、前扉３０を右側に開くことが可能である。前扉３０を閉じた状態においては、上部カバー壁部３２、下部カバー壁部３３及び左右の側部カバー壁部３４によって囲まれる空間にポスト本体１０の前方周壁１３及び上縁壁部１３ａに設けた２つの止水壁１５，１６が配置されることになる。
【００２８】
図５及び図７に示すように、前扉３０の上部カバー壁部３２は、前扉３０を閉じた場合に２つの止水壁１５，１６を越えて後方に延在し、その後端縁が第１の樋部１７の上方域に達する寸法に形成してある。この上部カバー壁部３２には、垂下壁部３６が設けてある。垂下壁部３６は、上部カバー壁部３２の後縁部から下方に向けてほぼ直角となるように突出したものである。図からも明らかなように、この垂下壁部３６は、止水壁１５，１６の上端よりも上方となる位置に下端が位置しており、前扉３０の開閉の際に止水壁１５，１６と干渉することはない。
【００２９】
上蓋４０は、ポスト本体１０の上面１０ｄにおいて台状部１９を覆うことのできる大きさを有した上蓋本体４１と、上蓋本体４１の四周から内表面側に向けて延在した前壁部４２、後壁部４３及び左右の側壁部４４とを有したものである。前壁部４２には、延在端の縁部に突起４５が設けてある。突起４５は、前壁部４２の延在端に向けて漸次前方に向けて突出するように形成したもので、前壁部４２においてポスト本体１０の傾斜部１０ｃに対向する部位の全長にわたって設けてある。
【００３０】
この上蓋４０には、図１に示すように、上蓋本体４１の内表面４１ａにおいて後壁部４３に近接した部分に対を成す支持ヒレ部４６が２カ所にそれぞれ設けてある。支持ヒレ部４６は、上蓋本体４１の内表面４１ａから突出したもので、個々の突出端部に軸挿通孔４６ａを有している。それぞれ対を成す支持ヒレ部４６は、互いの間にポスト本体１０の軸受部２１を挿通した状態で、それぞれの軸挿通孔２１ａ，４６ａにヒンジ軸４７を貫通保持させることにより、図２に示すように、ヒンジ軸４７を軸芯として上蓋４０をポスト本体１０に対して回転可能に支持するものである。
【００３１】
図５及び図７に示すように、上蓋４０の後端縁４０ａは、ポスト本体１０の後面よりも前方となる位置において終端している。図６に示すように、上蓋４０の後壁部４３は、上蓋４０を開けた場合にポスト本体１０の上面１０ｄとの干渉を避けるため、前壁部４２及び側壁部４４に比べて突出寸法が短く設定してある。特に、支持ヒレ部４６に対応する部位の後壁部４３は、図８に示すように、軸受部２１との干渉を避けるために他の部分の後壁部４３よりも突出寸法がさらに短く設定してある。
【００３２】
図５及び図７に示すように、上蓋４０を閉じた状態においては、支持台部１９ｄのクッション材２０が上蓋本体４１の内表面４１ａに当接し、投函口１２の上方部が覆われることになる。このとき、このポストでは、上蓋本体４１の板厚、軸受部２１の高さ、支持ヒレ部４６の突出寸法、支持台部１９ｄの突出高さ及びクッション材２０の板厚を適宜調整し、上蓋４０の上部外表面４１ｂが後方に向けて漸次低くなるように設定してある。上蓋４０において最も上方となる前壁部４２の上縁の高さは、前扉３０の上部カバー壁部３２を越えない位置となるように調整してある。また、上蓋４０を閉じた状態では、軸受部２１に設けた止水リブ２２の頂面部が上蓋本体４１の内表面４１ａにほぼ接触した位置となるように設定してある。
【００３３】
上蓋４０の前壁部４２は、台状部１９の前面１９ｂと前扉３０の垂下壁部３６との間において下方に垂下し、ポスト本体１０の上壁部１０ａと前端壁部１０ｂとの間に設けた傾斜部１０ｃの上方で終端している。前壁部４２は、上端部が前扉３０の垂下壁部３６に対向し、下端の突起４５が前扉３０の垂下壁部３６よりも下方において第１の止水壁１５に対向した状態にある。
【００３４】
また、上蓋４０には、上蓋本体４１の内表面４１ａにおいて支持ヒレ部４６の前縁となる部位に隔壁部４８が設けてある。隔壁部４８は、上蓋４０を閉じた場合にポスト本体１０の上面１０ｄに向けてほぼ鉛直に延在するように突出したヒレ状部分である。図５に示すように、対を成す支持ヒレ部４６の外側に設けた隔壁部４８は、上蓋４０を閉じた状態において台状部１９の後面１９ａ上端と対向する位置まで延在している。対を成す支持ヒレ部４６の間に設けた隔壁部４８′は、図７及び図８に示すように、軸受部２１に設けた止水リブ２２との干渉を避けるため、上蓋４０を閉じた状態において台状部１９の後面１９ａよりもわずかに上方となる位置で終端している。
【００３５】
上記のように構成したポストは、家屋の壁面等のように鉛直方向に沿った取付面Ｗにポスト本体１０の後面を当接させた状態で設置される。この設置状態においては、前方に位置する前扉３０がポスト本体１０の前面及び閉じた状態の上蓋４０を覆い隠すことになるため、前扉３０が上端から下端にわたって連続するように現れることになり、外観品質が向上する。また、上蓋４０の後端縁４０ａをポスト本体１０の後面よりも前方となる位置に配置し、かつ後壁部４３の突出寸法を前壁部４２及び側壁部４４に比べて短く設定し、さらに支持ヒレ部４６に対応する部位の後壁部４３についてはさらに突出寸法を短く設定しているため、上蓋４０が取付面Ｗやポスト本体１０の上面１０ｄ及び軸受部２１に干渉することがなく、上蓋４０に良好な開閉操作性を確保することができる。
【００３６】
ここで、前扉３０においては、上部カバー壁部３２の後縁部に垂下壁部３６を設けるようにしている。このため、降雨等によって上部カバー壁部３２に水が付着したとしても、付着した水は垂下壁部３６の下端において第１の樋部１７に滴下することになり、上部カバー壁部３２の裏面を伝って取出口１１の開口側へ浸入するおそれがなくなる。さらに、上縁壁部１３ａの上面において垂下壁部３６よりも前方に位置する部位に２つの止水壁１５，１６を前後に並設しているため、降雨量が増えて第１の樋部１７に貯留された水が第１の止水壁１５を超えたとしても、第２の止水壁１６によって取出口１１への浸入が妨げられることになる。しかも、それぞれの樋部１７，１８においては、内底面１７ａ，１８ａが両端に向けて下方に傾斜しているため、順次両端から直ちに排出されて水が長い時間貯留することがない。これにより、取出口１１からポスト本体１０の内部に水が浸入するリスクも減少する。従って、前扉３０によってポスト本体１０の前面全域を覆うように構成した結果、前扉３０とポスト本体１０との境界が上方に開口する隙間となって現れることになっても、当該隙間を要因として取出口１１からポスト本体１０の内部に水が浸入する事態を確実に防止することができるようになる。
【００３７】
一方、上蓋４０の前端部においては、閉じた状態において上部外表面４１ｂを後方に向けて低くなるように傾斜させているため、上蓋４０の上部外表面４１ｂに水が貯留される事態や、上蓋４０に滴下した水が第１の樋部１７や第２の樋部１８に流れ落ちる事態を大幅に減少することができる。また、上蓋４０の前壁部４２に設けた突起４５は、前壁部４２を伝ってきた水を前方側に案内し、第１の樋部１７に滴下させるように機能する。さらに、ポスト本体１０の前端壁部１０ｂに設けた傾斜部１０ｃは、水を第１の樋部１７に排出するように機能し、上蓋４０の前壁部４２との間に水が貯留する事態を防止する。従って、上蓋４０を開く際に前壁部４２の下面に水が付着している状況を未然に防止することができ、上蓋４０から投函口１２を介してポスト本体１０の内部に水が滴下する事態がほとんどなくなる。
【００３８】
また、上蓋４０の後端部においては、上蓋本体４１の内表面４１ａに隔壁部４８を設けるようにしているため、さらには、軸受部２１の上端部に止水リブ２２を設けるようにしているため、ポスト本体１０の上面１０ｄで降雨等の水が勢い良く跳ね返ったとしても、これら隔壁部４８及び止水リブ２２が水の浸入を妨げ、上蓋本体４１の内表面４１ａに水が付着する事態を防止することができる。しかも、投函口１２の周囲となる部位には、開口周壁部１２ａが設けてあるため、さらに、投函口１２の周囲となる台状部１９の上面を前方傾斜面１９ｅ及び後方傾斜面１９ｆで構成しているため、仮に台状部１９の上面に水が到達したとしても投函口１２からポスト本体１０の内部に浸入することなく周囲に流れ落ちることになる。従って、上蓋４０の開閉操作性を確保すべく、上蓋４０をポスト本体１０の上面１０ｄよりも小さく構成し、かつ後壁部４３の突出寸法を短く設定したものにあっても、ポスト本体１０の内部への止水性を向上させることが可能となる。
【００３９】
なお、上述した実施の形態では、上蓋４０を備えたポストを例示しているが、必ずしも上蓋を備えている必要はない。上蓋４０を設ける場合に上述した実施の形態では、後縁がヒンジとなるようにポスト本体１０に支持させているが、ヒンジの位置は上蓋の後縁である必要はない。また、上下方向に沿った軸芯を中心として前扉３０を開閉可能に支持させるようにしているが、水平方向に沿った軸芯を中心として開閉するように支持させても良い。さらに、止水壁１５，１６を２つ並設するようにしているが、３以上並設するようにしても構わない。またさらに、樋部１７，１８の内底面１７ａ，１８ａを両側に向けて低くなるように傾斜させているが、樋部の内底面は一方側から他方側に向けて低くなるように構成することも可能である。
【符号の説明】
【００４０】
１０  ポスト本体、１０ｃ  傾斜部、１１  取出口、１２  投函口、１３ａ  上縁壁部、１５，１６  止水壁、１７  第１の樋部、１７ａ，１８ａ  内底面、１８  第２の樋部、３０  前扉、３２  上部カバー壁部、３６  垂下壁部、４０  上蓋、４２  前壁部、４５  突起
【図１】
0006576281.tif 000002
【図２】
0006576281.tif 000003
【図３】
0006576281.tif 000004
【図４】
0006576281.tif 000005
【図５】
0006576281.tif 000006
【図６】
0006576281.tif 000007
【図７】
0006576281.tif 000008
【図８】
0006576281.tif 000009